(57)【要約】【課題】  サングラスや近眼用メガネを老眼鏡として使用する為のレンズの提供。【解決手段】レンズは柔らかくてシリコンなどの透明な樹脂で構成し、サングラスレンズ５や凹レンズの表面に吸着盤のように貼り付けることを可能としている。【選択図】    図１
2017078825.tif 000002
【特許請求の範囲】
【請求項１】
サングラスや近眼用メガネを老眼鏡として使用する為の柔らかいレンズにおいて、該レンズはシリコンなどの透明な樹脂で構成し、サングラスレンズや凹レンズの表面に吸着盤のように貼り付けることを可能としたことを特徴とする樹脂製レンズ。
【請求項２】
サングラスを近眼用メガネとして使用する為の柔らかいレンズにおいて、該レンズはシリコンなどの透明な樹脂で構成し、サングラスレンズの表面に吸着盤のように貼り付けることを可能としたことを特徴とする樹脂製レンズ。
【請求項３】
サングラスや近眼用メガネのレンズ面に別の柔らかいレンズを貼り付けることで構成されて老眼鏡として機能するメガネにおいて、該レンズはシリコンなどの透明な樹脂で構成し、サングラスレンズや凹レンズの表面に上記樹脂製レンズを吸着盤のように貼り付けたことを特徴とするメガネ。
【請求項４】
サングラスのレンズ面に別の柔らかいレンズを貼り付けることで構成されて近眼用として機能するメガネにおいて、該レンズはシリコンなどの透明な樹脂で構成し、サングラスレンズの表面に上記樹脂製レンズを吸着盤のように貼り付けたことを特徴とするメガネ。
【発明の詳細な説明】
【技術分野】
【０００１】
本発明は矯正用のメガネ及びサングラスを対象とし、これらメガネのレンズ面に貼り付ける樹脂製レンズ及び該樹脂製レンズを貼り付けたメガネに関するものである。
【背景技術】
【０００２】
一口にサングラスと言っても、そのデザイン形態は色々知られている。しかし、基本的な形態は同じで、フロント部の両側にツル（テンプル）を取付け、該テンプルは蝶番などの継手を介して折畳み出来るように成っている。そして、フロント部に設けたリムには光の一部を遮蔽することが出来るサングラスレンズが嵌っている。また、上記リムに偏光レンズを嵌める場合もある。
【０００３】
図５には従来の一般的なサングラス用フレームを表しているが、フロント部（イ）にはサングラスレンズが嵌るリム（ロ）、（ロ）を中央の連結部（ハ）を中心として両側に左右対称を成して形成している。ツル（ニ）、（ニ）はフロント部（イ）の両側に継手を介して折畳み可能に連結し、その先端部は耳に係止することが出来るように滑らかに湾曲している。
【０００４】
ところで、矯正用のメガネを掛けている人が自分の目を保護する為にサングラスを掛けたい場合、矯正用のレンズで構成したサングラスを使用するか、あるいは着用しているメガネの上から前掛け式メガネをかけるという方法が知られている。
矯正用のレンズで構成するサングラスを使用するには、別途サングラスを作らねばならない為に手間と費用がかかり、そのサングラスを使用する場合には本来の矯正用メガネを外して、サングラスをかけるという煩わしさがある。
【０００５】
図６は従来の一般的な前掛け式メガネを示す具体例である。（ａ）はメガネフレーム（ホ）、（ｂ）は上記メガネフレーム（ホ）のフロント部（ヘ）に取付けられる前掛けフレーム（ト）を表している。フロント部（ヘ）の両側に設けているヨロイ（チ）、（チ）には磁石（リ）、（リ）が取着され、前掛けフレーム（ト）の両側に設けているヨロイ（ヌ）、（ヌ）にも同じく磁石（ル）、（ル）を有している。
【０００６】
そこで、上記前掛けフレーム（ト）はフロント部（ヘ）の正面に重ね合わされ、磁石（リ）、（リ）に磁石（ル）、（ル）が引き付けられることで取着される。勿論、磁石（リ）、（ル）を介して取付けられる前掛けフレーム（ト）が位置ズレしないように何らかの工夫はされている。実用新案登録第３０８１２７１号に係る「めがね」はこの前掛け式メガネフレームに相当する。
【０００７】
一方、図６に示すような磁石ではなく、前掛けフレーム（ト）にカギを取付け、該カギを介してメガネフレームのフロント部（ヘ）に係止することも出来る。しかし、カギをフロント部（ヘ）に係止するだけの取付け構造は簡単ではあるが、前掛けフレーム（ト）は一般的に安定しないといった問題がある。
【０００８】
ところで、上記前掛けフレーム（ト）にはサングラスレンズを嵌め、必要に応じて前掛けフレーム（ト）をメガネフレーム（ホ）のフロント部（ヘ）に取付けることが出来る。  しかし、前掛けフレーム（ト）を取付けた場合にはフロント部（ヘ）は重くなって長時間にわたってメガネを掛けていると疲れを感じ、一方では前掛けフレーム（ト）を外した際にはケースに入れて携帯しなくてはならないといった煩わしさがある。
【０００９】
上記前掛け式メガネに類似したものとして跳ね上げ式メガネが知られている。この跳ね上げ式メガネとはフロント部が上・下に開閉するように構成したフレームである。この種のメガネは、例えば近視用メガネにサングラスを取付けて跳ね上げ式としたり、老眼鏡を跳ね上げ式としたものが多用されている。すなわちフロントフレームを二重構造として構成したものであり、表側のフロント部を跳ね上げ式としている。
【００１０】
特開２００４−２７９５０２号に係る「眼鏡枠」は、副フレーム（跳ね上げフロント部）が本体フレームに対して簡単にかつ確実に着脱でき、副フレームを本体フレームに対して回動させた際、副フレームが利用者の意図する任意の角度に適正に、かつ確実に維持することができ、さらに副フレームと本体フレームとの取り付け構造をできるだけ美観を有するものにした跳ね上げ式眼鏡である。
この跳ね上げ式メガネは、前掛けフレームのように必要時に掛け止めすることなく、常にフロント部に取付けられた構造である為に、跳ね上げフロント部をケースに入れて携帯する必要はない。しかし、フロント部が重たく成って常時着用するには適さない。
【特許文献１】実用新案登録第３０８１２７１号に係る「めがね」
【特許文献２】特開２００４−２７９５０２号に係る「眼鏡枠」
【発明の開示】
【発明が解決しようとする課題】
【００１１】
このように、従来の前掛け式メガネや跳ね上げ式メガネには上記のごとき問題がある。本発明が解決しようとする課題はこれら問題点であり、従来のようにフロント部を二重構造とすることなく、長時間掛けていても重たくて疲れを感じることのないメガネ、及びレンズに貼り付ける樹脂製レンズを提供する。
【課題を解決するための手段】
【００１２】
本発明に係るメガネは、レンズが嵌っているフロント部とその両側にツルを取付け、該ツルは継手を介して折畳み出来るように成っている。ここで、メガネフレームの材質は金属製であっても樹脂製であっても構わず、その基本形態は従来のメガネを同じである。
ところで、本発明のメガネはフロント部のリムに嵌っているレンズに樹脂製のレンズを貼り付けて構成している。対象となるメガネは矯正用のメガネに限るものではなく、サングラスも含まれる。
【００１３】
樹脂製のレンズは透明とし、その度数は各自の視力に適したものが用いられ、該樹脂製レンズは吸着盤と同じようにレンズの表面に貼り付けられる。勿論、貼り付ける際に接着剤を用いることなく、必要に応じて接着表面を濡らした状態で貼り付ける方がより安定する。この樹脂製レンズは基本的に使い捨てとし、何枚かを所持して、必要時に取出して使うことが出来る。
【発明の効果】
【００１４】
本発明に係る樹脂製レンズは、常日頃掛けているメガネのレンズ表面に貼り付けることが出来る。したがって、樹脂製レンズを貼り付けたメガネは異なる機能を備えたものと成り、しかし、メガネの外観は従来の前掛け式メガネや跳ね上げ式メガネのように変わることはない。一般的には凸形態の樹脂製レンズを貼り付けることで、老眼鏡として機能することが出来る。
【００１５】
そして、本発明は薄くて軽い樹脂製レンズを貼り付けただけのメガネである為に、フロント部側の重量が重たく成ることはなく、常に掛けていても疲れを感じない。
例えば、普通のサングラスに樹脂製の凸レンズを貼り付けることで老眼鏡として使うことが出来、サングラス機能を備える為に特別に製作した老眼鏡に比べてコストは格段に安く成る。また、樹脂製レンズは薄くて小さい為に、サングラスレンズに貼り付ける為に携帯しても嵩張ることなく便利である。
【図面の簡単な説明】
【００１６】
【図１】本発明に係る樹脂製レンズを貼り付けたサングラスを示す実施例。
【図２】樹脂製レンズの形状を示す具体例。
【図３】樹脂製レンズと成る樹脂製円形レンズ。
【図４】樹脂製レンズの断面図。
【図５】サングラスを示す具体例。
【図６】従来の前掛け式メガネの具体例。
【発明を実施するための形態】
【００１７】
図１は本発明に係るメガネの１つであるサングラスを示す具体例で、同図の１はフロント部、２はツルを表している。上記フロント部１にはリム３，３が連結部４を中心として両側に左右対称を成して形成され、該リム３，３にはサングラスレンズ５，５が嵌っている。そして、ツル２，２はフロント部１の両側に継手を介して折畳み可能に連結し、その先端部７，７は耳に係止することが出来るように滑らかに湾曲している。
【００１８】
サングラスは強い太陽光を遮る為に着用し、具体的には車を運転する際、魚釣りをする場合、また屋外での作業やスポーツをする場合などに使用することが出来る。図１は最も基本的な樹脂製フレームを有すサングラス形態であるが、一般的には色々なデザインが施されてファッション性を備えている。金属製フレームとしてサングラスを構成する場合もある。
【００１９】
ところで、本発明のサングラスではそのサングラスレンズ５，５の内側表面に小さい樹脂製レンズ６，６を貼り付けている。樹脂製レンズ６，６は柔らかくて凸レンズを構成し、サングラスレンズ５，５の下側に貼り付けられ、その為に老眼鏡として機能することが出来る。樹脂製レンズ６，６は一般に透明なシリコン樹脂を成形して造られた一種の吸着盤であり、接着剤を用いることなくサングラスレンズ５，５の表面に貼り付くことが出来る。また、不要な時には何時でも剥がすことが可能である。
【００２０】
ここで、上記樹脂製レンズ６は半円形としているが、その形状は自由であり、円形であったり、また楕円形であったりする。図２（ａ）、（ｂ）、（ｃ）、（ｄ）は本発明の樹脂製レンズ６の具体的な形状を示している。
（ａ）は概略半円形をした樹脂製レンズ６ａ、（ｂ）は円形をした樹脂製レンズ６ｂ、（ｃ）は楕円形をした樹脂製レンズ６ｃ、（ｄ）は角を丸めて概略長方形をした樹脂製レンズ６ｄであり、これら各レンズ６ａ，６ｂ，６ｃ，６ｄには黒点て示した焦点９ａ，９ｂ，９ｃ，９ｄを有している。
【００２１】
図３はカットする前の樹脂製円形レンズ８であり、この樹脂製円形レンズ８の中心となる焦点９を含んだ状態でカットされ、前記図２（ａ）〜（ｄ）に示す樹脂製レンズ６ａ，６ｂ・・・が作られる。図３では図２（ａ）に示す概略半円形の樹脂製レンズ６ａに成るようにカットされる。
ここで、カットの方法は特に限定しないことにするが、樹脂製円形レンズ８に所定形状の溝を形成しておき、この溝に沿って手で切り裂くことも可能である。
【００２２】
図４は樹脂製レンズ６の断面を示しているが、上面１０は滑らかな凸面を形成すると共に下面１１は滑らかな凹面と成っていて、中央部の厚さが厚く成った凸レンズを構成している。したがって、該樹脂製レンズ６をサングラスレンズ５の内側表面に貼り付ける場合には、凸面をした上面１０が接着面と成る。逆に、サングラスレンズ５の正面側表面に貼り付ける場合には凹面と成っている下面１１が接着面と成る。
【００２３】
このように、サングラスレンズ５に樹脂製レンズ６を貼り付けることで老眼鏡としての機能を備えることが出来、老眼鏡を常時携帯する必要はない。
したがって、老眼鏡に掛け直すことなくサングラスをかけたままで文字を読んだり、細かい作業を行うことが出来る。そして、フロント部の重量に関しては殆ど変ることはない。
例えば、魚釣りを行う人にとって、車を運転して海や川の釣り場へ行く時には、樹脂製レンズ６を貼り付けることなくサングラスを着用し、釣り場で針に餌を付けるなどの細かい作業に入った場合には、サングラスレンズの下側に上記樹脂製レンズ６を貼り付けて作業する。
【００２４】
図１に示すサングラスは、サングラスレンズ５の下側に樹脂製レンズ６を貼り付けた場合であるが、作業内容によってはサングラスレンズ５の上側に貼り付ける場合もある。
例えば、配線工事を行う現場の作業者であれば、視線を斜め上方へ向けることが多い為に、樹脂製レンズ６をサングラスレンズ５の上側に貼り付ける。また、左官業の場合も、サングラスレンズ６の上側に樹脂製レンズ６を貼り付けた方が便利である。
【００２５】
このように、本発明の樹脂製レンズ６はサングラスレンズ５の全面を覆うことなく、一部に貼り付けられる為に、一種の遠近両用メガネとして機能することが出来、その為に樹脂製レンズ６を貼り付けたままで遠くを見ることに何ら支障はなく、車の運転を行うこと可能である。
【００２６】
本発明の樹脂製レンズ６は凸形態のレンズで老眼鏡として機能させる場合が一般的である。実施例ではサングラスを対象として説明したが、近眼用の矯正メガネを対象とすることも出来る。すなわち、近眼用の凹レンズ表面に本発明の凸形態の樹脂製レンズ６を貼り付けることで、文字の読み書きをする際の老眼鏡として使用することが出来、まさに遠近両用メガネとなる。
【００２７】
一方、本発明の樹脂製レンズ６を凹レンズとして構成することも可能である。例えば、サングラスレンズ５の表面に凹形態の樹脂製レンズを貼り付ける場合もあって遠方が見易くなり、車を運転する際に使用することが出来る。この場合にはサングラスレンズ５のほぼ中央部に樹脂製レンズ６を貼り付けて近眼用のサングラスとして使うことが可能となる。
【符号の説明】
【００２８】
１   フロント部
２   ツル
３   リム
４   連結部
５   サングラスレンズ
６   樹脂製レンズ
７   先端部
８   樹脂製円形レンズ
９   焦点
10   上面
11   下面
【図１】
2017078825.tif 000003
【図２】
2017078825.tif 000004
【図３】
2017078825.tif 000005
【図４】
2017078825.tif 000006
【図５】
2017078825.tif 000007
【図６】
2017078825.tif 000008